(57)【要約】    【課題】コントローラから操作パネルへの画像データの送信に時間がかからない（高速なインタフェースを使用しておかなくても、１画面分の画像データの送信が短時間で完了する）情報処理装置を、提供する。    【解決手段】操作パネル２０とコントローラ３２とを含む情報処理装置（複合機等）を、操作パネル２０のＬＣＤに新たな画像（画面）を表示させる必要が生じた場合、当該画像の画像データを圧縮した圧縮画像データが、コントローラ３２から操作パネル２０へ送信され、操作パネル２０のＬＣＤが、その圧縮画像データの解凍結果で制御（駆動）される装置としておく。    【選択図】図１
2008225633.tif 000002
【特許請求の範囲】
【請求項１】
操作パネル及びコントローラを含む情報処理装置であって、
前記操作パネルが、
ＬＣＤと、
前記コントローラから送信されてきた圧縮画像データを解凍するための解凍手段と、
前記解凍手段による圧縮画像データの解凍結果で前記ＬＣＤを駆動するＬＣＤ駆動手段と
を備えたユニットであり、
前記コントローラが、
前記ＬＣＤに或る画像データに基づく表示を行わせる場合に、その画像データを圧縮したデータである圧縮画像データを前記操作パネルへ送信するユニットである
ことを特徴とする情報処理装置。
【請求項２】
前記操作パネルの解凍手段が、
圧縮画像データを記憶しておくための２つのメモリと、
前記２つのメモリのいずれがデータ読出対象メモリとなっているかを管理する制御回路であって、前記コントローラから圧縮画像データが送信されてきた場合には、その圧縮画像データを，データ読出対象メモリとなっていない方のメモリに記憶してから、データ読出対象メモリを，そのメモリに変更する制御回路と、
前記制御回路によってデータ読出対象メモリとして管理されているメモリ上に記憶されている圧縮画像データを周期的に解凍する解凍回路と
を含む手段である
ことを特徴とする請求項１記載の情報処理装置。
【請求項３】
前記コントローラが、
一旦、生成した圧縮画像データのサイズが、前記操作パネルの前記メモリのサイズを超えていた場合、圧縮画像データのサイズがより小さくなるように圧縮条件を変えて画像データを再圧縮するユニットである
ことを特徴とする請求項２記載の情報処理装置。
【請求項４】
ＬＣＤを備えた操作パネル及びコントローラを含む情報処理装置であって、
前記コントローラが、
前記ＬＣＤを，Ｎ個の分割表示領域からなる表示領域を有するデバイスとして取り扱うユニットであると共に、或る画像の表示を前記ＬＣＤに行わせる場合、前記ＬＣＤの分割表示領域毎に、その分割表示領域分の画像を表す画像データを圧縮したデータである圧縮画像データを生成して前記操作パネルへ送信するユニットであり、
前記操作パネルが、
圧縮画像データを記憶しておくための，Ｍ（２Ｎ＞Ｍ＞Ｎ）個の記憶領域を有するメモリと、
前記ＬＣＤの分割表示領域毎に、その分割表示領域に関する圧縮画像データが記憶されている前記メモリの記憶領域を示す記憶領域識別情報を記憶しておくための記憶領域識別情報記憶手段と、
前記記憶領域識別情報記憶手段に記憶されている情報に基づき、前記ＬＣＤの各分割表示領域に関する圧縮画像データを前記メモリから順次読み出して解凍する解凍処理を繰り返す解凍手段と、
前記解凍手段による各圧縮画像データの解凍結果で前記ＬＣＤを駆動するＬＣＤ駆動手段と、
前記コントローラから或る分割表示領域に関する圧縮画像データが送信されてきたときに、その圧縮画像データを，前記メモリの，その後，前記解凍手段が実行中の解凍処理によって圧縮画像データの読み出しが行われることになる記憶領域ではない記憶領域に記憶する処理と、前記記憶領域識別情報記憶手段に記憶されている当該分割表示領域に関する記憶領域識別情報を，送信されてきた圧縮画像データを記憶した記憶領域を示すものに書き換える制御手段と
を備えたユニットである
ことを特徴とする請求項４記載の情報処理装置。
【請求項５】
前記コントローラが、
一旦、生成した圧縮画像データのサイズが、前記操作パネルの前記メモリの前記記憶領域のサイズを超えていた場合、圧縮画像データのサイズがより小さくなるように圧縮条件を変えて画像データを再圧縮するユニットである
ことを特徴とする請求項４記載の情報処理装置。
【請求項６】
操作パネル及びコントローラを含む情報処理装置であって、
前記操作パネルが、
ＬＣＤと、
前記コントローラから送信されてきた圧縮２値画像データ及び圧縮多値画像データを解凍するための解凍手段と、
前記解凍手段による圧縮２値画像データの解凍結果と圧縮多値画像データの解凍結果とを合成し、その合成結果で前記ＬＣＤを駆動するＬＣＤ駆動手段と
を備えたユニットであり、
前記コントローラが、
カラー画像上に所定色画像を重ねた画像を前記ＬＣＤに表示させるユニットであると共に、新たな画像を前記ＬＣＤに表示させる場合、その画像の前記カラー画像成分を示す多値画像データを圧縮したデータである圧縮多値画像データと，その画像の前記特定色画像成分を示す２値画像データを圧縮したデータである圧縮２値画像データとを，前記操作パネルへ送信するユニットである
ことを特徴とする情報処理装置。
【請求項７】
前記操作パネルの解凍手段が、
圧縮２値画像データを記憶しておくための２つの圧縮２値画像データ用メモリと、
圧縮多値画像データを記憶しておくための２つの圧縮多値画像データ用メモリと、
前記２つの圧縮２値画像データ用メモリのいずれが圧縮２値画像データ読出対象メモリであるか、及び、前記２つの圧縮多値値画像データ用メモリのいずれが圧縮多値画像データ読出対象メモリであるかを管理する制御回路であって、前記コントローラから圧縮２値画像データが送信されてきた場合には、送信されてきた圧縮２値画像データを，圧縮２値画像データ読出対象メモリとなっていない方の圧縮２値画像データ用メモリに記憶してから、圧縮２値画像データ読出対象メモリを，今回，圧縮２値画像データを記憶した圧縮２値画像データ用メモリに変更し、前記コントローラから圧縮多値画像データが送信されてきた場合には、送信されてきた圧縮多値画像データを，圧縮多値画像データ読出対象メモリとなっていない方の圧縮多値画像データ用メモリに記憶してから、圧縮他値画像データ読出対象メモリを，今回，圧縮多値画像データを記憶した圧縮多値画像データ用メモリに変更する制御回路と、
前記制御回路により圧縮２値画像データ読出対象メモリとして管理されている圧縮２値画像データ用メモリ上に記憶されている圧縮２値画像データを周期的に解凍する圧縮２値画像データ用解凍回路と、
前記制御回路により圧縮多値画像データ読出対象メモリとして管理されている圧縮多値画像データ用メモリ上に記憶されている圧縮多値画像データを周期的に解凍する圧縮多値画像データ用解凍回路と
を含む手段である
ことを特徴とする請求項６記載の情報処理装置。
【請求項８】
前記コントローラが、
一旦、生成した圧縮多値画像データのサイズが、前記操作パネルの前記圧縮多値画像データ用メモリのサイズを超えていた場合、圧縮多値画像データのサイズがより小さくなるように圧縮条件を変えて前記多値画像データを再圧縮するユニットである
ことを特徴とする請求項７記載の情報処理装置。
【請求項９】
前記コントローラが、
それまでＬＣＤに表示させていた画像とカラー画像のみが異なる画像を前記ＬＣＤに表示させる場合には、その画像のカラー画像成分を示す多値画像データを圧縮した圧縮多値画像データのみを，前記操作パネルへ送信し、それまでＬＣＤに表示させていた画像と所定色画像のみが異なる画像を前記ＬＣＤに表示させる場合には、その画像の特定色画像成分を示す２値画像データを圧縮した圧縮２値画像データのみを，前記操作パネルへ送信するユニットである
ことを特徴とする請求項６乃至請求項８のいずれかに記載の情報処理装置。
【発明の詳細な説明】
【技術分野】
【０００１】
本発明は、ＬＣＤを備えた情報処理装置に関する。
【背景技術】
【０００２】
現在，市販されている，その操作パネルにＬＣＤが設けられている情報処理装置（複合機等）の中には、図８に示したように、ＬＣＤ用の画像データを記憶しておくためのＶＲＡＭ（データ書き込み用のＶＲＡＭと、データ読み出し用のＶＲＡＭ）が操作パネル側に設けられているもの（図８（Ａ））と，ＶＲＡＭが操作パネル側に設けられていないもの（コントローラから操作パネルへ周期的に画像データが送信されるもの；図８（Ｂ））とが，存在している。
【０００３】
そして、比較的に高機能なＬＣＤ（大サイズのカラーＬＣＤ等）が用いられている情報処理装置には、通常、図８（Ｂ）の構成が採用されているのであるが、この構成は、コントローラから操作パネルへの画像データの送信に時間がかかる（高速なインタフェース（高価格のインタフェース）を使用しておかなければ、１画面分の画像データの送信を短時間で完了させることが出来ない），比較的に大容量のメモリ（ＶＲＡＭ）を操作パネル側に設けておけなければならない，といった欠点を有するものとなっている。
【発明の開示】
【発明が解決しようとする課題】
【０００４】
そこで、本発明の第１の課題は、コントローラから操作パネルへの画像データの送信に時間がかからない（高速なインタフェースを使用しておかなくても、１画面分の画像データの送信が短時間で完了する）情報処理装置を、提供することにある。
【０００５】
また、本発明の第２の課題は、操作パネル側に搭載する必要があるメモリの容量が、既存の情報処理装置（図８（Ａ））よりも少ない情報処理装置を、提供することにある。
【課題を解決するための手段】
【０００６】
上記第１の課題を解決するために、本発明の第１の態様の情報処理装置（請求項１記載の情報処理装置）は、ＬＣＤと、コントローラから送信されてきた圧縮画像データを解凍するための解凍手段と、解凍手段による圧縮画像データの解凍結果でＬＣＤを駆動するＬＣＤ駆動手段とを備えた操作パネルと、ＬＣＤに或る画像データに基づく表示を行わせる場合に、その画像データを圧縮したデータである圧縮画像データを操作パネルへ送信するコントローラとを、含む。
【０００７】
すなわち、本発明の第１の態様の情報処理装置は、ＬＣＤに新たな画像（画面）を表示させる必要が生じた場合、当該画像の画像データを圧縮した圧縮画像データが、コントローラから操作パネルへ送信され、操作パネル側で、その圧縮画像データの解凍結果でＬＣＤが制御（駆動）される構成を有している。したがって、この情報処理装置は、コントローラから操作パネルへの画像データの送信に時間がかからない（高速なインタフェースを使用しておかなくても、１画面分の画像データの送信が短時間で完了する）装置となっていることになる。
【０００８】
そして、この情報処理装置を，操作パネルの解凍手段として、圧縮画像データを記憶しておくための２つのメモリと、２つのメモリのいずれがデータ読出対象メモリとなっているかを管理する制御回路であって、コントローラから圧縮画像データが送信されてきた場合には、その圧縮画像データを，データ読出対象メモリとなっていない方のメモリに記憶してから、データ読出対象メモリを，そのメモリに変更する制御回路と、制御回路によってデータ読出対象メモリとして管理されているメモリ上に記憶されている圧縮画像データを周期的に解凍する解凍回路とを含む手段を採用した形で実現しておけば、本発明の第２の課題も解決できている情報処理装置が、得られることになる。
【０００９】
また、本発明の第２の態様の情報処理装置（請求項４記載の情報処理装置）は、『ＬＣＤを，Ｎ個の分割表示領域からなる表示領域を有するデバイスとして取り扱うユニットであると共に、或る画像の表示をＬＣＤに行わせる場合、ＬＣＤの分割表示領域毎に、その分割表示領域分の画像を表す画像データを圧縮したデータである圧縮画像データを生成して操作パネルへ送信するコントローラ』と、『圧縮画像データを記憶しておくための，Ｍ（２Ｎ＞Ｍ＞Ｎ）個の記憶領域を有するメモリと、ＬＣＤの分割表示領域毎に、その分割表示領域に関する圧縮画像データが記憶されているメモリの記憶領域を示す記憶領域識別情報を記憶しておくための記憶領域識別情報記憶手段と、記憶領域識別情報記憶手段に記憶されている情報に基づき、ＬＣＤの各分割表示領域に関する圧縮画像データをメモリから順次読み出して解凍する解凍処理を繰り返す解凍手段と、解凍手段による各圧縮画像データの解凍結果でＬＣＤを駆動するＬＣＤ駆動手段と、コントローラから或る分割表示領域に関する圧縮画像データが送信されてきたときに、その圧縮画像データを，メモリの，その後，解凍手段が実行中の解凍処理によって圧縮画像データの読み出しが行われることになる記憶領域ではない記憶領域に記憶する処理と、記憶領域識別情報記憶手段に記憶されている当該分割表示領域に関する記憶領域識別情報を，送信されてきた圧縮画像データを記憶した記憶領域を示すものに書き換える制御手段とを備えた操作パネル』とを含む。
【００１０】
すなわち、本発明の第２の態様の情報処理装置は、ＬＣＤに新たな画像（画面）を表示させる必要が生じた場合、Ｎ個の圧縮画像データが、コントローラから操作パネルへ送信され、操作パネル側で、それらの圧縮画像データの解凍結果でＬＣＤが制御（駆動）される構成を有している。しかも、この情報処理装置の操作パネルの製造に必要とされるメモリは、圧縮画像データを記憶可能なＭ（２Ｎ＞Ｍ＞Ｎ）個の記憶領域を有するものである。従って、本発明の情報処理装置は、コントローラから操作パネルへの画像データの送信に時間がかからない（高速なインタフェースを使用しておかなくても、１画面分の画像データの送信が短時間で完了する）装置であると共に、操作パネル側に搭載する必要があるメモリの容量が、既存の情報処理装置（図８（Ａ））や請求項２記載の情報処理装置よりも少ない装置となっていることになる。
【００１１】
また、本発明の第３の態様の情報処理装置（請求項６記載の情報処理装置）は、『ＬＣＤと、コントローラから送信されてきた圧縮２値画像データ及び圧縮多値画像データを解凍するための解凍手段と、解凍手段による圧縮２値画像データの解凍結果と圧縮多値画像データの解凍結果とを合成し、その合成結果でＬＣＤを駆動するＬＣＤ駆動手段とを備えた操作パネル』と、『カラー画像上に所定色画像を重ねた画像をＬＣＤに表示させるユニットであると共に、新たな画像をＬＣＤに表示させる場合、その画像のカラー画像成分を示す多値画像データを圧縮したデータである圧縮多値画像データと，その画像の特定色画像成分を示す２値画像データを圧縮したデータである圧縮２値画像データとを，操作パネルへ送信するコントローラ』とを含む。
【００１２】
すなわち、本発明の第３の態様の情報処理装置は、ＬＣＤに新たな画像（画面）を表示させる必要が生じた場合、当該画像の画像データの再現が可能な圧縮２値画像データ及び圧縮多値画像データが、コントローラから操作パネルへ送信され、操作パネル側で、それらのデータが解凍・合成されてＬＣＤが制御（駆動）される構成を有している。したがって、この情報処理装置も、コントローラから操作パネルへの画像データの送信に時間がかからない（高速なインタフェースを使用しておかなくても、１画面分の画像データの送信が短時間で完了する）装置となっていることになる。
【００１３】
そして、この情報処理装置を，操作パネルの解凍手段として、『圧縮２値画像データを記憶しておくための２つの圧縮２値画像データ用メモリと、圧縮多値画像データを記憶しておくための２つの圧縮多値画像データ用メモリと、２つの圧縮２値画像データ用メモリのいずれが圧縮２値画像データ読出対象メモリであるか、及び、２つの圧縮多値値画像データ用メモリのいずれが圧縮多値画像データ読出対象メモリであるかを管理する制御回路であって、コントローラから圧縮２値画像データが送信されてきた場合には、送信されてきた圧縮２値画像データを，圧縮２値画像データ読出対象メモリとなっていない方の圧縮２値画像データ用メモリに記憶してから、圧縮２値画像データ読出対象メモリを，今回、圧縮２値画像データを記憶した圧縮２値画像データ用メモリに変更し、コントローラから圧縮多値画像データが送信されてきた場合には、送信されてきた圧縮多値画像データを，圧縮多値画像データ読出対象メモリとなっていない方の圧縮多値画像データ用メモリに記憶してから、圧縮他値画像データ読出対象メモリを，今回、圧縮多値画像データを記憶した圧縮多値画像データ用メモリに変更する制御回路と、制御回路により圧縮２値画像データ読出対象メモリとして管理されている圧縮２値画像データ用メモリ上に記憶されている圧縮２値画像データを周期的に解凍する圧縮２値画像データ用解凍回路と、制御回路により圧縮多値画像データ読出対象メモリとして管理されている圧縮多値画像データ用メモリ上に記憶されている圧縮多値画像データを周期的に解凍する圧縮多値画像データ用解凍回路とを含む手段』を採用した形で実現しておけば、本発明の第２の課題も解決できている情報処理装置が、得られることになる。
【００１４】
また、本発明の第３の態様の情報処理装置のコントローラを、それまでＬＣＤに表示させていた画像とカラー画像のみが異なる画像を前記ＬＣＤに表示させる場合には、その画像のカラー画像成分を示す多値画像データを圧縮した圧縮多値画像データのみを，前記操作パネルへ送信し、それまでＬＣＤに表示させていた画像と所定色画像のみが異なる画像を前記ＬＣＤに表示させる場合には、その画像の特定色画像成分を示す２値画像データを圧縮した圧縮２値画像データのみを，前記操作パネルへ送信するユニットとしておけば、ＬＣＤの表示制御のためにコントローラが実行しなければならない処理量がより少ない情報処理装置を実現できることになる。
【００１５】
本発明の各態様の情報処理装置は、画像データの圧縮が，常に，同一条件で行われる装置として構成しておくことも可能である。ただし、そのように情報処理装置を構成しておくと、ＬＣＤに表示される画面の内容／種類が限定されることになる。このため、本発明の各態様の情報処理装置を実現する際には、一旦、生成した圧縮データのサイズが、所定サイズ（操作パネルのメモリサイズ）を超えていた場合、よりサイズ小さくなるように圧縮条件を変えてデータを再圧縮するユニットとしておくことが望ましい。
【発明を実施するための最良の形態】
【００１６】
以下、本発明を実施するための最良の形態を、図面を参照して詳細に説明する。
【００１７】
《第１実施形態》
まず、図１及び図２を用いて、本発明の第１実施形態に係る情報処理装置の概要を、説明する。
【００１８】
図１に示してあるように、本発明の第１実施形態に係る情報処理装置は、スキャナユニット１０とプリンタユニット３０とを接続した装置（いわゆる複合機）である。
【００１９】
スキャナユニット１０は、操作パネル２０が取り付けられているスキャナ（操作パネル２０を，スキャナに取り付けたユニット）である。このスキャナユニット１０に取り付けられている操作パネル２０は、図２に示してあるように、大サイズのカラーＬＣＤ２１（及びタッチパネル２２）を備えたものとなっている。
【００２０】
プリンタユニット３０（図１）は、主な構成要素として、印刷エンジンとコントローラ３２とを備えたユニットである。
【００２１】
そして、本情報処理装置は、このプリンタユニット３０内のコントローラ３２が、各部（印刷エンジン、スキャナユニット１０内の操作パネル２０，操作パネル２０以外の部分）の制御を行う装置となっている。
【００２２】
以上のことを前提に、以下、本実施形態に係る情報処理装置の構成及び動作を、さらに具体的に説明する。
【００２３】
本情報処理装置（プリンタユニット３０）内のコントローラ３２（図１）は、既存のプリンタユニット内のコントローラに対して、ＲＧＢ画像データを圧縮してＪＰＥＧデータを生成するための画像圧縮回路３４を追加する改良と、新たな画像（画面）を操作パネル２０のＬＣＤ２１に表示させる必要が生じた場合、当該画像のＲＧＢ画像データの画像圧縮回路３４による圧縮結果（つまり、ＪＰＥＧデータ）が操作パネル２０に対して送信されるようにするための改良（ファームウェアの改良）とを施したユニットである。
【００２４】
なお、画像圧縮回路３４は，圧縮条件を変更できる回路となっている。また、コントローラ３２は、ＲＧＢ画像データの画像圧縮回路３４による圧縮結果のサイズが所定サイズ（後述するＶＲＡＭ２５のサイズ）を超えていた場合、所定サイズ以下のＪＰＥＧデータが得られるまで、圧縮条件を変更してＲＧＢ画像データを再圧縮する処理を繰り返すように構成された（そのファームウェアが作成されている）ユニットとなっている。
【００２５】
一方、本情報処理装置（スキャナユニット１０）内の操作パネル２０は、コントローラ３２からのＪＰＥＧデータに基づきＬＣＤ２１の制御が行われるように，既存の操作パネルを改良したユニットとなっている。
【００２６】
具体的には、操作パネル２０は、既存のコントローラＬＳＩ（ＲＧＢ画像データの入力を必要とするもの）の代わりに、図３に示した構成を有するコントローラＬＳＩ２３を搭載したユニットとなっている。
【００２７】
このコントローラＬＳＩ２３上の２つのＶＲＡＭ２５は、コントローラ３２から送信されてきたＪＰＥＧデータを記憶しておくためのメモリである。
【００２８】
ＬＣＤ制御回路２７は、画像解凍回路２６からのＲＧＢ画像データでＬＣＤ２１を駆動する回路である。このＬＣＤ制御回路２７は、他回路（操作パネル制御回路２４と画像解凍回路２６）の動作タイミングを指示するための２種のタイミング信号（図示せず）を出力する回路となっている。
【００２９】
画像解凍回路２６は、操作パネル制御回路２４からのデータ読出対象指定信号（図示せず）が示している方のＶＲＡＭ２５上のＪＰＥＧデータを解凍し，その解凍結果（ＲＧＢ画像データ）を出力する処理を，ＬＣＤ制御回路２７からのタイミング信号が所定レベルに変化する度に開始する回路である。なお、この画像解凍回路２６は、データの解凍及びタイミング同期のために使用される，数ライン分のデータバッファを内蔵した回路となっている。
【００３０】
操作パネル制御回路２４は、上記したデータ読出対象指定信号（データ読出対象メモリがいずれのＶＲＡＭ２５であるかを画像解凍回路２６に通知するための信号）を出力する回路である。この操作パネル制御回路２４は、コントローラ３２からＪＰＥＧデータが送信されてきた場合、そのＪＰＥＧデータを、データ読出対象メモリとなっていない方のＶＲＡＭ２５に記憶した後、ＬＣＤ制御回路２７からのタイミング信号が所定レベルに変化したときに、出力するデータ読出対象指定信号を、今回，ＪＰＥＧデータを記憶したＶＲＡＭ２５を示すものに変更する回路となっている。
【００３１】
以上の説明から明らかなように、本実施形態に係る情報処理装置は、カラーＬＣＤ２１に新たな画像（画面）を表示させる必要が生じた場合、当該画像の画像データを圧縮した圧縮画像データが、コントローラ３２から操作パネル２０へ送信され、操作パネル２０のカラーＬＣＤ２１が、その圧縮画像データの解凍結果で制御（駆動）される構成を有する装置となっている。従って、この情報処理装置は、コントローラ３２から操作パネル２０への画像データの送信に時間がかからない（高速なインタフェースを使用しておかなくても、１画面分の画像データの送信が短時間で完了する）装置となっていると言うことが出来る。
【００３２】
また、情報処理装置の操作パネル２０は，コントローラ３２から送信されてきた圧縮画像データがそのまま記憶される構成を採用したユニットとなっている。従って、この情報処理装置は、図８（Ａ）の構成や、圧縮画像データの解凍結果が操作パネル２０内に記憶される構成を採用した場合よりも、操作パネル２０の製造に必要とされるメモリの容量が少ない装置となっていると言うことも出来る。
【００３３】
《第２実施形態》
本発明の第２実施形態に係る情報処理装置も、上記した第１実施形態に係る情報処理装置（図１及び図２参照）と同様の構成を有する装置である。
【００３４】
ただし、第２実施形態に係る情報処理装置（プリンタユニット３０）内のコントローラ３２は、カラーＬＣＤ２１を，図４に示したようなデバイス〔Ｎ（本実施形態では、Ｎ＝１０）個の矩形状の表示領域１〜Ｎに、その全表示領域が分割されているデバイス〕として取り扱い、新たな画像（画面）を操作パネル２０のＬＣＤ２１に表示させる必要が生じた場合には、当該画像の画像データ（ＲＧＢ画像データ）を用意した後、その画像データを各表示領域分のＮ個の画像データに分割し、分割した各画像データの画像圧縮回路３４による圧縮結果（つまり、ＪＰＥＧデータ）を，対応する表示領域を示す表示領域指定情報と共に、操作パネル２０に対して送信するユニットとなっている。また、コントローラ３２は、各画像データの画像圧縮回路３４による圧縮結果のサイズが所定サイズ（後述するＶＲＡＭ４３のバンクサイズ）を超えていた場合、所定サイズ以下のＪＰＥＧデータが得られるまで、圧縮条件を変更して画像データを再圧縮する処理を繰り返すユニットとなっている。
【００３５】
一方、第２実施形態に係る情報処理装置（スキャナユニット１０）内の操作パネル２０は、コントローラＬＳＩ２３の代わりに、図５に示した構成を有するコントローラＬＳＩ４０を搭載したユニットとなっている。
【００３６】
このコントローラＬＳＩ４０上のＬＣＤ制御回路４５は、画像解凍回路４４（詳細は後述）からのＲＧＢ画像データでカラーＬＣＤ２１を駆動する回路である。このＬＣＤ制御回路４５は、他回路（操作パネル制御回路４１と画像解凍回路４４）の動作タイミングを指示するための２種のタイミング信号（図示せず）を出力する回路となっている。
【００３７】
ＶＲＡＭ４３は、１個のＪＰＥＧデータ（コントローラ３２から送信されてくる，１個の表示領域分の画像データの圧縮結果）を記憶しておくためバンクを，Ｍ個（本実施形態では、Ｍ＝１２），備えたメモリである。ＶＲＡＭ表示バンクテーブル４２は、図６に示してあるように、各表示領域に関するデータが記憶されている，ＶＲＡＭ４３のバンクのバンク番号を記憶しておくためのメモリ（Ｎ個のバンク番号を記憶可能なメモリ）である。
【００３８】
画像解凍回路４４は、ＬＣＤ制御回路４５からのタイミング信号が所定レベルに変化する度に、『ＶＲＡＭ表示バンクテーブル４２の或るアドレスからバンク番号を読み出し、そのバンク番号を有するＶＲＡＭ４３のバンク上のＪＰＥＧデータを解凍して解凍結果を出力する処理を、ＶＲＡＭ表示バンクテーブル４２の各アドレスに対して、順々に（アドレス順に）、実行する解凍処理』を開始する回路である。なお、この画像解凍回路４４も、画像解凍回路２６と同様に、データの解凍及びタイミング同期のために使用される，数ライン分のデータバッファを内蔵した回路となっている。
【００３９】
操作パネル制御回路４１は、コントローラ３２から，或るＪＰＥＧデータが，或る表示領域（以下、処理対象表示領域と表記する）を示す表示領域指定情報と共に送信されてきた場合、そのＪＰＥＧデータを，ＶＲＡＭ４２の，画像解凍回路４４が実行中の解凍処理によって，その後，ＪＰＥＧデータの読み出しが行われることになるバンクではないバンク（ＶＲＡＭ表示バンク管理テーブル４２にバンク番号が記憶されていないバンク，実行中の解凍処理により既にＪＰＥＧデータの読み出しが行われているバンク）に記憶する処理と、処理対象表示領域に関するものとしてＶＲＡＭ表示バンク管理テーブル４２に記憶されているバンク番号を、今回，ＪＰＥＧデータの記憶を行ったバンク番号に書き換える処理とを行う回路である。この操作パネル制御回路４１は、いずれのバンクが、“ＶＲＡＭ４２の，画像解凍回路４４が実行中の解凍処理によって，その後，ＪＰＥＧデータの読み出しが行われることになるバンクではないバンク”であるかを、ＬＣＤ制御回路４５からのタイミング信号が所定レベルに変化してからの経過時間に基づき、判断する回路となっている。
【００４０】
以上の説明から明らかなように、本発明の第２実施形態に係る情報処理装置は、カラーＬＣＤ２１に新たな画像（画面）を表示させる必要が生じた場合、Ｎ個のＪＰＥＧデータが、コントローラ３２から操作パネル２０へ送信され、操作パネル２０のカラーＬＣＤ２１が、それらのＪＰＥＧデータの解凍結果で制御（駆動）される構成を有している。しかも、この情報処理装置の操作パネル２０は、２つのＶＲＡＭを必要としない（Ｍ−Ｎ個のバンクを，バッファとして利用する）ユニットとなっている。このため、本情報処理装置は、コントローラ３２から操作パネル２０への画像データの送信に時間がかからない（高速なインタフェースを使用しておかなくても、１画面分の画像データの送信が短時間で完了する）装置であると共に、操作パネル２０の製造に必要なメモリの容量が、既存の情報処理装置（図８（Ａ））や第１実施形態に係る情報処理装置よりも少ない装置となっていると言うことが出来る。
【００４１】
《第３実施形態》
本発明の第３実施形態に係る情報処理装置も、上記した第１，第２実施形態に係る情報処理装置（図１及び図２参照）と同様の構成を有する装置である。
【００４２】
ただし、第３実施形態に係る情報処理装置（プリンタユニット３０）内のコントローラ３２に搭載されている画像圧縮回路３４は、ＲＧＢ画像データを圧縮してＪＰＥＧデータを生成する機能と、２値画像データを圧縮してＪＢＩＧデータを生成する機能とを有するものとなっている。
【００４３】
そして、コントローラ３２は、新たな画像をカラーＬＣＤ２１に表示させる必要が生じた場合、その画像の背景画像（カラー画像）成分を表すＲＧＢ画像データと、その画像の文字・罫線画像成分を表す２値画像データとを生成し、各データの画像圧縮回路３４による圧縮結果（ＪＰＥＧデータとＪＢＩＧデータ）を，操作パネル２０に対して送信するように構成されたユニットとなっている。さらに、コントローラ３２は、それまで表示させていた画像と背景画像のみが異なる画像をカラーＬＣＤ２１に表示させる場合には、その画像の背景画像成分を表すＲＧＢ画像データを生成して，そのＲＧＢ画像データの画像処理回路３４による圧縮結果（ＪＰＥＧデータ）を操作パネル２０へ送信する処理のみを行い、それまで表示させていた画像と文字・罫線画像のみが異なる画像をカラーＬＣＤ２１に表示させる場合には、その画像の文字・罫線画像成分を表す２値画像データを生成して，その２値画像データの画像処理回路３４による圧縮結果（ＪＢＩＧデータ）を操作パネル２０へ送信する処理のみを行うユニットとなっている。
【００４４】
なお、第３実施形態に係る情報処理装置（プリンタユニット３０）内のコントローラ３２は、第１，第２実施形態に係る情報処理装置内のコントローラ３２と同様に、ＲＧＢ画像データ／２値画像データの画像圧縮回路３４による圧縮結果のサイズが所定サイズ（後述するＪＰＥＧ用ＶＲＡＭ５３／ＪＢＩＧ用ＶＲＡＭ５２のサイズ）を超えていた場合、所定サイズ以下のデータが得られるまで、圧縮条件を変更してデータを再圧縮する処理を繰り返すユニットともなっている。
【００４５】
第３実施形態に係る情報処理装置（スキャナユニット１０）内の操作パネル２０は、コントローラＬＳＩ２３，４０の代わりに、図７に示した構成を有するコントローラＬＳＩ５０を搭載したユニットである。
【００４６】
このコントローラＬＳＩ５０上の２つのＪＢＩＧ用ＶＲＡＭ５２は、コントローラ３２から送信されてきたＪＢＩＧデータを記憶しておくためのメモリである。また、２つのＪＰＥＧ用ＶＲＡＭ５３は、コントローラ３２から送信されてきたＪＰＥＧデータを記憶しておくためのメモリである。
【００４７】
画像解凍回路５３は、操作パネル制御回路５１からのＪＢＩＧ用データ読出対象指定信号（図示せず）が示している方のＪＢＩＧ用ＶＲＡＭ５２上のＪＢＩＧデータを解凍し，その解凍結果（２値画像データ）を出力する処理を，ＬＣＤ制御回路５５からのタイミング信号が所定レベルに変化する度に開始する回路である。画像解凍回路５４は、操作パネル制御回路５１からのＪＰＥＧ用データ読出対象指定信号（図示せず）が示している方のＪＰＥＧ用ＶＲＡＭ５３上のＪＰＥＧデータを解凍し，その解凍結果（ＲＧＢ画像データ）を出力する処理を，ＬＣＤ制御回路５５からのタイミング信号が所定レベルに変化する度に開始する回路である。
【００４８】
ＬＣＤ制御回路５５は、画像解凍回路５４からのＲＧＢ画像データと、画像解凍回路５４からの２値画像データとを合成することにより、ＲＧＢ画像データを生成し、生成したＲＧＢ画像データでＬＣＤ２１を駆動する回路である。このＬＣＤ制御回路５５は、上記した，画像解凍回路５２及び５３へのタイミング信号の他に、操作パネル制御回路５１の動作タイミングを指示するためのタイミング信号も出力する回路となっている。
【００４９】
操作パネル制御回路５１は、上記した各データ読出対象指定信号（画像解凍回路５３へのＪＢＩＧ用データ読出対象指定信号、画像解凍回路５４へのＪＰＥＧ用データ読出対象指定信号）を出力する回路である。
【００５０】
この操作パネル制御回路５１は、コントローラ３２からＪＰＥＧデータが送信されてきた場合には、そのＪＰＥＧデータを、データ読出対象メモリとなっていない方のＪＰＥＧ用ＶＲＡＭ５３に記憶した後、ＬＣＤ制御回路５５からのタイミング信号が所定レベルに変化したときに、出力するＪＰＥＧ用データ読出対象指定信号を、今回、ＪＰＥＧデータを記憶したＪＰＥＧ用ＶＲＡＭ５３を示すものに変更する回路となっている。
【００５１】
さらに、操作パネル制御回路５１は、コントローラ３２からＪＢＩＧデータが送信されてきた場合には、そのＪＢＩＧデータを、データ読出対象メモリとなっていない方のＪＢＩＧ用ＶＲＡＭ５２に記憶した後、ＬＣＤ制御回路５５からのタイミング信号が所定レベルに変化したときに、出力するＪＢＩＧ用データ読出対象指定信号を、今回、ＪＢＩＧデータを記憶したＪＢＩＧ用ＶＲＡＭ５２を示すものに変更する回路となっている。
【００５２】
以上の説明から明らかなように、本実施形態に係る情報処理装置は、カラーＬＣＤ２１に新たな画像（画面）を表示させる必要が生じた場合、当該画像の画像データの再現が可能なＪＰＥＧデータ（背景画像を表すデータ）及びＪＢＩＧデータ（文字・形成画像を表すデータ）が、コントローラ３２から操作パネル２０へ送信され、操作パネル２０のカラーＬＣＤ２１が、それらのデータの解凍・合成結果で駆動される構成を有している。そして、背景画像のＲＧＢ画像データは、小サイズとなるように圧縮しても特に問題が生じないデータであり、２値画像データは、元々、サイズの小さなデータであるため、この情報処理装置も、コントローラ３２から操作パネル２０への画像データの送信に時間がかからない（高速なインタフェースを使用しておかなくても、１画面分の画像データの送信が短時間で完了する）装置となっていることになる。
【００５３】
さらに、本実施形態に係る情報処理装置の操作パネル２０は，コントローラ３２から送信されてきた圧縮画像データをそのまま（解凍せずに）記憶する構成を採用したユニットとなっている。従って、この情報処理装置は、図８（Ａ）の構成を採用した場合よりも、操作パネル２０の製造に必要なメモリの容量が少ない装置となっていると言うことも出来る。
【００５４】
《変形形態》
上記した各実施形態に係る情報処理装置は、各種の変形を行うことが出来る。例えば、各実施形態に係る情報処理装置のコントローラ３２を、データの圧縮結果のサイズが所定サイズを超えた場合、圧縮条件を変更してデータの再圧縮を行うユニットとしているのは、各情報処理装置が、カラーＬＣＤ２１上に，スキャン結果のサムネイル画像を表示することがある装置となっているからである。このため、カラーＬＣＤ２１上にサムネイル画像等を表示させない場合には、情報処理装置から、上記機能を取り除いておくことが出来る。ただし、上記機能を付けておけば、カラーＬＣＤ２１に表示させる画像の変更を何ら制限なく行えることになるため、カラーＬＣＤ２１上にサムネイル画像等を表示させない場合であっても、情報処理装置を、上記機能を有するものとしておくことが望ましい。
【００５５】
また、各実施形態に係る情報処理装置を、具体的なハードウェア／ソフトウェア構成が上記したものとは異なる装置（例えば、カラーＬＣＤ２１の代わりに、多階調のモノクロＬＣＤが用いられた装置、画像データの圧縮方式が異なる装置，画像データの圧縮をＣＰＵが行う装置）に変形しても良いことは、当然のことである。
【図面の簡単な説明】
【００５６】
【図１】本発明の第１実施形態に係る情報処理装置の構成図。
【図２】第１実施形態に係る情報処理装置が備える操作パネルの外観図。
【図３】第１実施形態に係る情報処理装置が備える操作パネルの構成図。
【図４】本発明の第２実施形態に係る情報処理装置におけるＬＣＤの利用法の説明図。
【図５】第２実施形態に係る情報処理装置が備える操作パネルの構成図。
【図６】ＶＲＡＭ表示バンクテーブルの説明図。
【図７】本発明の第３実施形態に係る情報処理装置が備える操作パネルの構成図。
【図８】従来の情報処理装置の構成の説明図。
【符号の説明】
【００５７】
１０  スキャナユニット、  ２０  操作パネル、  ２１  カラーＬＣＤ
２２  タッチパネル、  ２３，４０，５０  コントローラＬＳＩ
２４，４１，５１  操作パネル制御回路、  ２５，４３  ＶＲＡＭ
２６，４４，５４  画像解凍回路、  ２７，４５，５５  ＬＣＤ制御回路
３０  プリンタユニット、  ３２  コントローラ、  ３４  画像圧縮回路
４２  ＶＲＡＭ表示バンクテーブル、  ５２  ＪＢＩＧ用ＶＲＡＭ
５３  ＪＰＥＧ用ＶＲＡＭ
【図１】
2008225633.tif 000003
【図２】
2008225633.tif 000004
【図３】
2008225633.tif 000005
【図４】
2008225633.tif 000006
【図５】
2008225633.tif 000007
【図６】
2008225633.tif 000008
【図７】
2008225633.tif 000009
【図８】
2008225633.tif 000010